(57)【要約】【課題】補助光発光の効果を確認することにより、無意味な補助光発光を防止することができる撮影装置を提供することにある。【解決手段】暗い被写体を撮影する場合に、赤目軽減ランプ１４やＡＦ補助ランプ１５を補助光源に用いて撮影を行うことができる撮影装置に関する。測光センサ４で測定された補助光非照射時の被写界輝度が所定輝度以下の場合に、補助光として赤目軽減ランプ１４を点灯したときの被写界輝度と補助光非照射時の被写界輝度との差分が所定輝度差以上か否かを判定し、差分が所定輝度差以上のときには、赤目軽減ランプ１４の光を被写体に照射して撮影を行う。その撮影の際には、補助光照射時被写界輝度に基づく露光条件により撮影を行わせる。【選択図】        図１
2004170490.tif 000002
【特許請求の範囲】
【請求項１】
閃光撮影時の閃光よりも光強度の小さな補助光を被写体に照射して撮影を行うことができる撮影装置であって、
被写界輝度を測定する測光装置と、
補助光非照射時の前記被写界輝度が所定輝度以下の場合に、前記補助光を照射したときの被写界輝度と前記補助光非照射時の被写界輝度との差分を求め、その差分が所定輝度差以上か否かを判定する輝度判定手段と、
前記輝度判定手段により所定輝度差以上と判定されると、前記補助光を照射して撮影を行わせる制御手段とを備えたことを特徴とする撮影装置。
【請求項２】
請求項１に記載の撮影装置において、
前記制御手段は、前記判定時の補助光照射時被写界輝度に基づく露光条件により撮影を行わせることを特徴とする撮影装置。
【請求項３】
請求項１または２に記載の撮影装置において、
被写体距離を測定する測距装置と、
前記測距装置で測定された被写体距離が前記補助光の到達距離以下か否かを判定する距離判定手段とを備え、
前記輝度判定手段は、前記補助非照射時の被写界輝度が所定輝度以下であって、かつ、前記距離判定手段により被写体距離が前記到達距離以下と判定された場合に、前記補助光を照射したときの被写界輝度と前記補助光非照射時の被写界輝度との差分を求め、その差分が所定輝度差以上か否かを判定することを特徴とする撮影装置。
【請求項４】
請求項３に記載の撮影装置において、
閃光発光不可状態か否かを判定する発光不可判定手段を備え、
前記輝度判定手段は、前記補助光非照射時の被写界輝度が所定輝度以下であるとともに前記距離判定手段により被写体距離が前記到達距離以下と判定され、かつ、前記発光不可判定手段により閃光発光不可状態と判定された場合に、前記補助光を照射したときの被写界輝度と前記補助光非照射時の被写界輝度との差分を求め、その差分が所定輝度差以上か否かを判定することを特徴とする撮影装置。
【請求項５】
請求項３に記載の撮影装置において、
閃光撮影において適正露出量に制御可能か否かを判定する適正露出判定手段を備え、
前記輝度判定手段は、前記補助光非照射時の被写界輝度が所定輝度以下であるとともに前記距離判定手段により被写体距離が前記到達距離以下と判定され、かつ、前記適正露出判定手段により制御不可と判定された場合に、前記補助光を照射したときの被写界輝度と前記補助光非照射時の被写界輝度との差分を求め、その差分が所定輝度差以上か否かを判定することを特徴とする撮影装置。
【請求項６】
請求項１〜５のいずれかに記載の撮影装置において、
前記補助光の被写体への到達時間を考慮して、前記補助光の照射開始を撮影の際の露光開始よりも前に行わせることを特徴とする撮影装置。
【請求項７】
請求項１〜６のいずれかに記載の撮影装置において、
前記補助光は、赤目軽減用補助光または焦点検出用補助光であることを特徴とする撮影装置。
【発明の詳細な説明】
【０００１】
【発明の属する技術分野】
本発明は、暗い被写体を撮影する際に閃光装置とは異なる補助光源を用いて撮影を行うことができる撮影装置に関する。
【０００２】
【従来の技術】
従来のカメラでは、暗い被写体を撮影する場合には閃光装置を発光させて撮影するようにしている。閃光装置を用いて人物を撮影する場合には瞳が赤く写ってしまうことが多く、閃光装置とは別に赤目現象を低減するための赤目低減ランプを備えているものがある。また、自動焦点カメラでは被写体光を焦点検出用受光素子で受光して焦点検出を行っているが、被写体が暗い場合には充分な光量が得られず焦点検出ができないおそれがあるため、ＡＦ用補助ランプを発光させて焦点検出を行うようにしている。
【０００３】
ところで、暗い被写体を接写撮影する際に閃光装置を用いると、閃光装置の光は指向性が高いため露出ムラが生じやすい。そのため、被写体輝度が所定の明るさ以下であって、かつ、被写体までの距離が所定距離以下の場合に、赤目低減ランプやＡＦ用補助ランプだけ発光させて被写体を撮影するカメラが知られている（例えば、特許文献１参照。）。
【０００４】
【特許文献１】
特開平８−１７９４０５号公報
【０００５】
【発明が解決しようとする課題】
しかしながら、被写体までの距離によっては赤目低減ランプやＡＦ用補助ランプを発光させても被写体輝度向上が充分に図れない場合もあるが、そのような場合であっても無駄に補助ランプを発光させていた。そのため、従来のカメラでは、無意味な補助ランプ発光によってバッテリーが浪費されるという不都合があった。
【０００６】
本発明の目的は、補助光発光の効果を確認することにより、無意味な補助光発光を防止することができる撮影装置を提供することにある。
【０００７】
【課題を解決するための手段】
請求項１の発明は、閃光撮影時の閃光よりも光強度の小さな補助光を被写体に照射して撮影を行うことができる撮影装置であって、被写界輝度を測定する測光装置と、補助光非照射時の被写界輝度が所定輝度以下の場合に、補助光を照射したときの被写界輝度と補助光非照射時の被写界輝度との差分を求め、その差分が所定輝度差以上か否かを判定する輝度判定手段と、輝度判定手段により所定輝度差以上と判定されると、補助光を照射して撮影を行わせる制御手段とを備えて上述の目的を達成する。なお、判定時の補助光照射時被写界輝度に基づく露光条件により撮影を行わせるようにしても良い。
また、請求項３の発明のように被写体距離を測定する測距装置と、測距装置で測定された被写体距離が補助光の到達距離以下か否かを判定する距離判定手段とを備え、補助非照射時の被写界輝度が所定輝度以下であって、かつ、被写体距離が到達距離以下と判定された場合に、輝度判定手段による定を行うようにしても良い。
請求項４の発明のように閃光発光不可状態か否かを判定する発光不可判定手段を備え、補助光非照射時の被写界輝度が所定輝度以下であるとともに被写体距離が到達距離以下と判定され、かつ、閃光発光不可状態と判定された場合に、輝度判定手段による判定を行うようにしても良い。
また、請求項５の発明のように、閃光撮影において適正露出量に制御可能か否かを判定する適正露出判定手段を備え、補助光非照射時の被写界輝度が所定輝度以下であるとともに被写体距離が前記到達距離以下と判定され、かつ、適正露出判定手段により制御不可と判定された場合に、輝度判定手段による定を行うようにしても良い。
さらに、補助光の被写体への到達時間を考慮して、補助光の照射開始を撮影の際の露光開始よりも前に行わせるようにしてもよい。なお、補助光として、赤目軽減用補助光または焦点検出用補助光を用いても良い。
【０００８】
【発明の実施の形態】
以下、図を参照して本発明の実施の形態を説明する。
−第１の実施の形態−
図１は本発明による撮影装置の一実施の形態を示すブロック図であり、カメラの概略構成を示す図である。撮影レンズ１および絞り３を通過した被写体光の一部はメインミラー２ａで反射されて、ペンタプリズムを含む接眼光学系５に導かれる。絞り３は駆動部６によって駆動される。接眼光学系５に導かれた被写体光束の一部は測光センサ４に入射し、測光センサ４の検出結果に基づいて被写界の輝度がマイクロコンピュータ８で算出される。
【０００９】
測光センサ４には、ＳＰＤ（シリコンフォトダイオード）やＣｄＳ（硫化カドミウム）などの受光素子が用いられる。本実施の形態では、撮影レンズ１を通過した被写体光束を検出するような構成となっているが、撮影レンズ１を介さずに被写界を直接睨む位置に配設しても良い。上述した受光素子は入射した光の光量に応じた電流を出力する光電変換素子であって、処理回路１８はこの電流値を電圧値に変換してさらにＡ／Ｄ変換し変換後のデジタル信号をマイクロコンピュータ８へと出力する。
【００１０】
メインミラー２ａを透過した被写体光は、サブミラー２ｂにより反射されて測距装置７に導かれる。測距装置７としては、通常、パッシブ方式のものとアクティブ方式のものとがある。パッシブ方式の測距装置では、複数個（または複数画素数）の光電変換素子から成る画素ブロックを一対有するＣＣＤが用いられ、被写体からの入射光の位相をずらして一対の画素ブロックにそれぞれ結像させる。そして、画素ブロック間における位相差やコントラスト差を検出することにより、被写体までの距離を演算する。
【００１１】
アクティブ方式の場合には、複数個のＳＰＤで構成されるＰＳＤ（Ｐｏｓｉｔｉｏｎ  Ｓｅｎｃｉｎｇ  Ｄｅｖｉｃｅ）受光部と赤外ＬＥＤを用いた投光部とが用いられ、投光部で被写体を照明したときの反射光をＰＳＤで受光する。そして、赤外ＬＥＤとＰＳＤ間の距離（基線長）およびＰＳＤの結像画像から、三角測距により被写体までの距離を演算する。これらの演算は、測距装置７またはマクロコンピュータ８で行われる。
【００１２】
メインミラー２ａの後方（図示右側）の光軸上には、シャッタ９を介してフィルムＦが配設されている。カメラのレリーズボタンが全押しされて全押しスイッチ１０がオンされると、メインミラー２ａが光路外に退避されるとともにシャッタ９が開閉し、フィルムＦが露光される。１１はレリーズボタンの半押し動作でオンする半押しスイッチであり、半押しスイッチ１１がオンされると、測光および焦点検出動作（測距）が行われる。
【００１３】
１２は閃光装置であり、例えば、指向性が高く光量の大きなキセノン管が用いられる。閃光装置１２の発光は、発光制御回路１３によって制御される。発光制御回路１３では、照射可能範囲算出や発光可能エネルギー量算出のために、閃光装置１２内のメインコンデンサの充電電圧を検出している。１４は赤目軽減ランプ、１５はＡＦ補助ランプであり、それぞれ発光制御回路１６，１７によって制御される。本実施の形態では、赤目軽減ランプ１４およびＡＦ補助ランプ１５のいずれか一方を補助光源として使用する。以下では、赤目軽減ランプ１４を補助光源として用いる場合を例に説明する。
【００１４】
《動作説明》
次に、被写界が暗いときの閃光装置１２および補助光源１４の点・消灯動作を中心にした処理手順を、図２，３に示すフローチャートを用いて説明する。図２，３に示すフローチャートは、カメラのレリーズボタンが半押しされてから露光動作が終了するまでの処理手順を示したものであり、図３は図２に続く手順を示したフローチャートである。ステップＳ１０１では、レリーズボタンが半押しされて半押しスイッチ１１がオンであるか否かを判定し、半押しスイッチ１１がオンされるとステップＳ１０２へ進む。ステップＳ１０２では、測光センサ４により被写界の輝度を測定する。
【００１５】
ステップＳ１０３では、測距センサ７の検出結果により被写体距離を算出する。ステップＳ１０４では、測光センサ４の検出結果に基づいて算出される被写界輝度が所定輝度以下か否かを判定する。ここで、所定輝度とは通常撮影時において手ブレが生じやすいシャッタスピードに設定される輝度であり、固定値とは限らない。例えば、フィルム感度や撮影時のレンズの焦点距離により変化させても良い。ステップＳ１０４で所定輝度以下と判定されるとステップＳ１０５へ進み、所定輝度よりも明るいと判定されるとステップＳ１１５に進む。
【００１６】
被写界輝度が所定輝度よりも明るいと判定されてステップＳ１０４からステップＳ１１５へ進んだ場合には、ステップＳ１１５において全押しスイッチ１０がオンか否かを判定する。ステップＳ１１５で全押しスイッチ１０がオンであると判定されると、ステップＳ１１７へ進んでシャッタ９を開閉してフィルムＦへの露光動作を行う。ステップＳ１１７の露光は、ステップＳ１０２で測定された被写界輝度に基づく露出条件で行われる。そして、ステップＳ１１７の露光動作が終了したならば一連の撮影動作を終了する。
【００１７】
また、ステップＳ１１５で全押しスイッチ１０がオンでないと判定されると、ステップＳ１１６へ進んで半押しスイッチ１１がオフか否かを判定する。ステップＳ１１６において半押しスイッチ１１がオフと判定されるとステップＳ１０１へ戻り、半押しスイッチ１１がオフでないと判定されるとステップＳ１１５へ戻る。すなわち、半押し状態が継続されている間は、ステップＳ１１５およびＳ１１６が繰り返し実行される。
【００１８】
一方、ステップＳ１０４で所定輝度以下と判定されてステップＳ１０５へ進んだ場合には、ステップＳ１０５において、ステップＳ１０３で算出された被写体距離が予め設定された所定距離範囲内にあるか否かを判定する。ここでは、所定距離範囲として、補助光源（赤目軽減ランプ）１４の照射可能範囲（到達可能範囲）を用いる。図４（ａ），（ｂ）は補助光源１４の照射可能範囲Ａと閃光装置１２の照射可能範囲Ｂとを示す図である。図４（ａ）は、被写体距離範囲Ｃにおいて照射可能範囲Ａと照射可能範囲Ｂとが重複している場合を示したものであり、図４（ｂ）は、照射可能範囲ＡおよびＢの間に重複がない場合である。
【００１９】
閃光装置１２の照射可能範囲Ｂとは、閃光装置１２を発光させたときに適正露出で撮影ができる被写体距離範囲のことであり、被写体距離が照射可能範囲Ｂよりも無限遠側の場合には閃光撮影１２を用いても露出アンダーとなり、逆に被写体距離が照射可能範囲Ｂよりもカメラ側である場合には閃光撮影すると露出オーバーとなってしまう。なお、図４（ａ）に示した例では、補助光源１４の照射可能範囲Ａを所定範囲に設定したが、閃光装置１２では露出オーバーとなる範囲、すなわち、照射可能範囲Ａであってかつ照射可能範囲Ｂよりもカメラ側に位置する範囲を所定範囲に設定しても良い。
【００２０】
また、閃光装置１２の照射可能範囲Ｂはメインコンデンサに充電された電圧に依存するため、閃光撮影直後の充電電圧が低い状態では、符号Ｂ’で示すように閃光装置１２の照射可能範囲が狭くなる。十分にメインコンデンサが充電されている場合には、被写体距離Ｓの被写体を閃光装置１２を用いて撮影しても適正露出できるが、照射可能範囲Ｂ’のような不十分な充電状態で閃光撮影を行うと露出アンダーとなてしまう。しかしながら、本発明では、このような場合には補助光源１４を用いて撮影を行うことにより、適正露出で撮影を行うことができる。
【００２１】
図２に戻って、ステップＳ１０５において所定距離範囲内と判定されるとステップＳ１０６へ進み、所定距離範囲外と判定されると図３のステップＳ２０１へ進む。まず、被写体距離が補助光源１４の照射可能範囲Ａ内にあって、ステップＳ１０５からステップＳ１０６へ進んだ場合について説明する。ステップＳ１０６では補助光源１４を点灯して被写体に補助光を照射する。ステップＳ１０７では、補助光照射状態における被写界輝度を測定する。ステップＳ１０７の輝度測定が終了したならば、ステップＳ１０８において補助光源１４を消灯する。
【００２２】
ステップＳ１０９では、ステップＳ１０２において測定された補助光非照射時輝度とステップＳ１０７で測定された補助光照射時輝度とを比較し、輝度が向上しているか否かを判定する。例えば、輝度差が所定量以上の場合や、補助光照射時輝度が所定輝度以上となった場合に向上したと判定する。ステップＳ１０９で向上したと判定されるとステップＳ１１０へ進み、そうでない場合にはＳ１１５へ進む。
【００２３】
なお、ステップＳ１０９で輝度が向上していないと判定された場合には、露光（撮影）を行わせないような処理動作にしても良い。また、輝度向上がない場合に、被写体距離が図４（ａ）のような閃光装置１２の照射可能範囲Ｂと補助光源１４の照射可能範囲Ａとの重複部分Ｃにあった場合には、閃光装置１２を照射するようにしても良い。
【００２４】
ステップＳ１１０では、補助光照射による撮影が行われるように、すなわち、露光時に補助光源１４を点灯するようにカメラを設定する。ステップＳ１１１では、全押しスイッチ１０がオンか否かを判定し、オンと判定されるとステップＳ１１２へ進み、オフと判定されるとステップＳ１１８へ進む。ステップＳ１１８へ進んだ場合には、ステップＳ１１８で半押しスイッチ１１がオフか否かを判定し、オフと判定されるとステップＳ１１９へ進んで補助光照射設定を解除してステップＳ１０１へ戻る。また、ステップＳ１１８でオンと判定されるとステップＳ１１１へ戻る。
【００２５】
一方、ステップＳ１１１で全押しスイッチ１０がオンと判定されてステップＳ１１２に進んだ場合には、ステップＳ１１２において補助光源１４を点灯して被写体に補助光を照射する。補助光照射開始タイミングは、被写体に反射された補助光がカメラに達する間での時間遅れと露光とのタイミングとを考慮して設定される。その後、ステップＳ１１３でシャッタ９を開閉して露光動作を行う。なお、ステップＳ１１３では、ステップＳ１０７で測定された補助光照射時輝度に基づく露出条件で露光が行われる。ステップＳ１１３の露光動作が終了したならば、ステップＳ１１４に進んで補助光源１４を消灯し、一連の撮影動作を終了する。
【００２６】
次に、ステップＳ１０５で被写体距離が所定距離範囲外と判定されて図３のステップＳ２０１へ進んだ場合について説明する。この場合、補助光源１４を用いた撮影ではなく、閃光装置１２を用いた撮影となる。ステップＳ２０１では、閃光装置１２の充電エネルギー量を検出する。
【００２７】
閃光装置１２にキセノン管を用いる場合には、トランスを用いてバッテリからの電源電圧を１００倍近い高電圧に昇圧してコンデンサに電気エネルギーを蓄積する。そして、エネルギーが蓄積されたコンデンサの電圧をキセノン管の両端に印加した状態で４ｋＶ以上のトリガ電圧を印加することにより、コンデンサに蓄積されたエネルギーが光に変換されて放射される。なお、コンデンサに蓄積されたエネルギーは充電電圧から算出することができ、高圧ツェナーダイオードにより電圧を検出したり、抵抗ラダーにより分圧された電圧をＡ／Ｄ変換することにより算出する。
【００２８】
図５は閃光装置１２に用いられるコンデンサの充電電圧Ｖと充電時間ｔとの関係を示す図である。充電時間ｔの経過とともにコンデンサの電圧Ｖは上昇し、それに対応してコンデンサの蓄積エネルギーは増加する。キセノン管を発光させるためには、充電電圧Ｖを発光可能最低電圧Ｖｍｉｎ以上とする必要がある。そのため、いったん閃光撮影した後には、少なくとも充電時間ｔｍｉｎが経過するまでは次の閃光撮影を行うことができない。
【００２９】
以上のようなことから、ステップＳ２０１で充電エネルギー量（充電電圧）を検出し、ステップＳ２０２において閃光装置１２が発光可能か否か、すなわち充電電圧ＶがＶｍｉｎ以上か否かを判定する。ステップＳ２０２において発光可能と判定されるとステップＳ２０３へ進み、発光不可能と判定されるとステップＳ２０６へ進む。ステップＳ２０６へ進んだ場合には、ステップＳ２０６において半押しスイッチ１１がオフか否かを判定する。ステップＳ２０６でオフと判定されると図２のステップＳ１０１へ戻り、オンと判定されるとステップＳ２０７で露光禁止（撮影禁止）した後にステップＳ２０１へ戻る。
【００３０】
一方、発光可能と判定されてステップＳ２０２からステップＳ２０３へ進んだ場合には、ステップＳ２０３において全押しスイッチ１０がオンか否かを判定する。ステップＳ２０３でオンと判定されると、ステップＳ２０４へ進んで閃光装置１２を発光させるとともにシャッタ９を開閉して露光動作を行わせる。また、ステップＳ２０３でオフと判定されると、ステップＳ２０５へ進んで半押しスイッチ１１がオフか否かを判定する。ステップＳ２０５でオフと判定されると図２のステップＳ１０１へ戻り、オンと判定されるとステップＳ２０３へ戻る。
【００３１】
上述した第１の実施の形態では、被写体がカメラに近くて閃光装置１２では露出オーバーとなてしまう範囲、すなわち、図４（ａ）の範囲Ａから範囲Ｃを除いた範囲および図４（ｂ）の範囲Ａの場合でも、補助光源１４を発光して撮影を行うことにより露出オーバーを避けることができる。さらに、本実施の形態では、補助光撮影で輝度向上が図られると判定された場合にのみ補助光撮影が行われるので、補助光源１４の無駄な照射を防止することができる。また、補助光源１４を用いて撮影する場合には、補助光照射時の被写界輝度に基づく露出条件で撮影するようにしたのでより正確に露出条件を設定することができ、最適な補助光撮影を行うことができる。
【００３２】
−第２の実施の形態−
図６，７は、本発明による撮影装置の第２実施の形態を説明するフローチャートである。図６，７のフローチャートの場合も、図２，３の場合と同様に被写界が暗いときの閃光装置１２および補助光源１４の点・消灯動作を中心にした処理手順を示している。図６，７において図２，３の処理と同様の処理については同一符号を付し、以下では異なる処理部分を中心に説明する。
【００３３】
図６のステップＳ１０１からステップＳ１０３までの処理は図２の場合と同様の処理であり、半押しスイッチ１１がオンされると測光および測距が行われる。ステップＳ３０１では、ステップＳ１０２の輝度検出結果に基づいて算出される被写界輝度が、所定輝度以下か否かを判定する。ステップＳ３０１で所定輝度以下と判定されるとステップＳ３０２へ進み、所定輝度よりも明るいと判定されるとステップＳ３０８へ進む。
【００３４】
所定輝度よりも明るいと判定されステップＳ３０８へ進んだ場合には、露光時における補助光源１４および閃光装置１２の照射・非照射設定をいずれも「非照射」に設定する。ステップＳ３０８の設定が終了したならばステップＳ３０５へ進む。
【００３５】
一方、ステップＳ３０１で所定輝度以下と判定されてステップＳ３０２へ進んだ場合には、ステップＳ３０２において閃光装置１２の充電エネルギー量を検出する。ステップＳ３０３では、ステップＳ３０２で検出された充電エネルギー量から閃光装置１２が発光可能か否かを判定する。そして、ステップＳ３０３で発光可能と判定されるとステップＳ３０４へ進み、発光が不可能と判定されると図７のステップＳ１０５へ進む。ステップＳ３０３で発光可能と判定されてステップＳ３０４へ進んだ場合には、露光時に閃光撮影すべく、露光時の照射設定を閃光装置１２については照射に、補助光源１４については非照射にそれぞれ設定する。
【００３６】
一方、ステップＳ３０３で発光不可能と判定されて図７のステップＳ１０５に進んだ場合、図７のステップＳ１０５からステップＳ１０９までは図２の同一符号のステップと同様の処理が行われる。すなわち、ステップＳ１０５では図６のステップＳ１０３で検出された被写体距離が所定距離範囲内（補助光照射範囲内）か否かを判定し、所定距離範囲内と判定されるとステップＳ１０６〜Ｓ１０８の処理を順に行い、補助光照射状態における被写界輝度を測定する。
【００３７】
ステップＳ１０９ではステップＳ１０７で測定された補助光照射時輝度とステップＳ１０２で測定された補助光非照射時輝度とを比較し、補助光照射により輝度が向上したか否かを判定する。ステップＳ１０９で輝度が向上したと判定されるとステップＳ３２０へ進み、露光時における補助光源１４および閃光装置１２の照射・非照射設定を、補助光源１４は「照射」に、閃光装置１２は「非照射」にそれぞれ設定する。一方、ステップＳ１０９で輝度向上が無いと判定されるとステップＳ３２１へ進む。
【００３８】
また、ステップＳ１０５で所定距離範囲外と判定されてステップＳ３２１へ進んだ場合には、ステップＳ３２１において半押しスイッチ１１がオフか否かを判定する。ステップＳ３２１でオフと判定されるとステップ図６のステップＳ１０１へ進み、オンと判定されるとステップＳ３２２へ進んで露光禁止処理を行った後にステップＳ３０２へ戻る。
【００３９】
図６に戻って、ステップＳ３０５では全押しスイッチ１０がオンか否かを判定する。ステップＳ３０５においてオンと判定されるとステップＳ３０６へ進み、オフと判定されるとステップＳ３０９へ進む。ステップＳ３０９では半押しスイッチ１１がオフか否かを判定し、オフと判定されるとステップＳ３１０で照射設定を解除した後にステップＳ１０１へ戻り、オンと判定されるとステップＳ３０５へ戻る。
【００４０】
一方、ステップＳ３０５でオンと判定されてステップＳ３０６へ進んだ場合には、設定されている照射条件で露光を行う。本実施の形態では、被写界輝度や閃光装置１２の状態に応じて、次のような５種類の場合に分けられる。１番目は、ステップＳ３０１で所定輝度よりも明るいと判定された場合である。この場合には閃光装置１２や補助光源１４を使用しないで露光が行われる。２番目は、被写界輝度が所定輝度以下のときにステップＳ３０３で閃光装置１２が発光可能と判定された場合である。この場合には、被写体距離に関わらず閃光装置１２により被写体を照射して露光が行われる。
【００４１】
３番目は、被写界輝度が所定輝度以下でかつ閃光装置１２が発光不可能であって、被写体距離が所定距離範囲内（補助光照射範囲内）でステップＳ１０９で補助光照射により輝度が向上すると判定された場合である。この場合、補助光源１４により被写体を照射し露光を行う。４番目は、被写界輝度が所定輝度以下で閃光装置１２が発光不可能で、被写体距離が所定距離範囲内（補助光照射範囲内）であるがステップＳ１０９で補助光照射をしても輝度が向上しないと判定された場合である。この場合には適切な露出条件で撮影ができないので露光を禁止する。５番目は、被写界輝度が所定輝度以下、閃光装置１２が発光不可能、および被写体距離が所定距離範囲外の場合である。この場合にも適切な露出条件で撮影ができないので露光を禁止する。
【００４２】
図６，７のような処理を行うことにより、第２の実施の形態のカメラにおいても、第１の実施の形態と同様の効果を奏することができる。なお、第１の実施の形態の場合には、被写界輝度が所定輝度以下の場合には、最初に被写体距離が補助光源１４の照射可能範囲内か否かを判定し、照射可能範囲内ならば補助光撮影の処理が行われ、照射可能範囲外ならば閃光撮影処理が行われる。一方、第２の実施の形態では、まず閃光装置１２が発光可能か否かを判定し、発光可能な場合には閃光撮影処理が行われ、発光不可能な場合にのみ補助光撮影処理が実行される。すなわち、発光可能な場合には閃光撮影が優先されるような動作となっている。
【００４３】
−第３の実施の形態−
図８，９は、本発明による撮影装置の第３実施の形態を説明するフローチャートであり、第２の実施の形態で示した図６，７の場合と同様の処理には同一符号を付した。以下では第２の実施の形態と異なる部分を中心に説明する。半押しスイッチ１１がオンされると測光および測距が行われ、ステップＳ３０１ではその測光結果に基づいて被写界輝度が所定輝度以下か否かを判定する。
【００４４】
図８のステップＳ３０１で所定輝度よりも明るいと判定された場合には閃光装置１２または補助光源１４による照射が不必要である。したがって、ステップＳ４０１に進んで露光時における閃光装置１２および補助光源１４の照射設定をいずれも「非照射」に設定し、その後、図９のステップＳ４０８へ進む。一方、ステップＳ３０１で所定輝度以下と判定されると、ステップＳ３０２に進んで閃光装置１２の充電エネルギー量を検出し、ステップＳ３０３で閃光装置１２が発光可能か否かを判定する。
【００４５】
ステップＳ３０３で発光可能でないと判定されると、ステップＳ４０２に進んで半押しスイッチ１１がオフか否かを判定する。ステップＳ４０２でオフと判定されるとステップＳ１０１へ戻り、オンと判定されるとステップＳ４０３で露光禁止処理を行ってステップＳ３０２へ戻る。
【００４６】
一方、ステップＳ３０３で発光可能と判定されるとステップＳ４０４へ進む。ステップＳ４０４では、ステップＳ１０３で測定された被写体距離およびステップＳ３０２で検出された充電エネルギー量に基づいて、閃光撮影時の露出量がオーバーか否かを判定する。すなわち、被写体距離が図４（ａ），（ｂ）の露出オーバーの範囲にあるか否かを判定する。ステップＳ４０４で露出オーバーでないと判定されるとステップＳ４０５に進み、露光時に閃光撮影すべく、露光時の照射設定を閃光装置１２については照射に、補助光源１４については非照射にそれぞれ設定する。ステップＳ４０５の照射設定が終了したならば、図９のステップＳ４０８へ進む。また、ステップＳ４０４で露出オーバーと判定されると、図９のステップＳ１０５へ進む。
【００４７】
図９のステップＳ１０５からステップＳ１０９までは、図７の同一符号のステップと同様の処理を行う。すなわち、ステップＳ１０５では、図８のステップＳ１０３で計測された被写体距離が補助光源１４の照射可能範囲か否かを判定する。そして、被写体距離が照射可能範囲の場合には補助光源１４を点灯して被写界輝度を測定し、そのときの輝度が補助光非照射時の輝度と比較して向上しているか否かをステップＳ１０９で判定する。被写体距離が照射可能範囲でない場合には、ステップＳ３２１で半押しスイッチ１１がオンかオフかを判定し、オフならば図８のステップＳ１０１へ戻る。一方、ステップＳ３２１で半押しスイッチ１１がオフと判定されると、ステップＳ３２２へ進んで露光禁止処理を行った後にステップＳ３２１へ戻る。
【００４８】
ステップＳ１０９で輝度が向上したと判定されると、ステップＳ４０６に進み、補助光撮影を行うべく露光時の照射設定を補助光源１４については照射に、閃光装置１２については非照射にそれぞれ設定する。一方、ステップＳ１０９で輝度向上が無いと判定された場合には、補助光源１４による撮影を断念して、露出オーバーではあるが閃光装置１２による撮影を行う。すなわち、ステップＳ４０７へ進んで、露光時の照射設定を補助光源１４については非照射に、閃光装置１２については照射にそれぞれ設定する。
【００４９】
ステップＳ４０６またはＳ４０７の設定処理が終了したならば、ステップＳ４０８へ進んで全押しスイッチ１０がオンか否かを判定する。ステップＳ４０８でオンと判定されると、ステップＳ４１０へ進んで設定された照射条件で露光を行う。一方、ステップＳ４０８でオフと判定されると、ステップＳ４０９へ進んで半押しスイッチ１１がオフか否かを判定する。ステップＳ４０９で半押しスイッチ１１がオフされたと判定されると、ステップＳ４１１で照射設定を解除した後に図８のステップＳ１０１へ戻る。また、ステップＳ４０９でオンと判定されるとステップＳ４０８へ戻る。
【００５０】
上述した第３の実施の形態では、第２の実施の形態と同様に最初に閃光装置１２が発光可能か否かを判定し、発光可能な場合に閃光撮影で露出オーバーなときには補助光撮影処理を実行するようにした。なお、ステップＳ３０３で発光不可能と判定された場合には被写体距離に関係なく露光が禁止されるようにしたが、第２の実施の形態の図７に示す処理と同一処理を実行するようにしても良い。
【００５１】
以上説明した実施の形態では銀塩フィルムを使用するカメラを例に説明したが、これに限らずデジタルカメラやカメラ機能を備えた携帯機器等にも適用することができる。なお、マイクロコンピュータ８は、特許請求の範囲の輝度判定手段、制御手段、距離判定手段、閃光撮影不可判定手段および適正露出判定手段を構成している。また、本発明の特徴を損なわない限り、本発明は上記実施の形態に何ら限定されるものではない。
【００５２】
【発明の効果】
以上説明したように、本発明によれば、被写界輝度が所定輝度以下となる暗い被写体を撮影したときに、閃光装置を用いた閃光撮影では露出量がオーバーとなってしまうような状況や、閃光装置が発光不可であるような状況においても、補助光を用いるとともに補助光照射時被写界輝度に基づく露光条件により撮影を行わせることにより、適切露出による撮影が可能となる。また、補助光による輝度向上が得られるときにのみ補助光を照射するようにしたので、無駄な補助光の点灯を防止することができる。
【図面の簡単な説明】
【図１】本発明による撮影装置の第１の実施の形態を示すブロック図である。
【図２】第１の実施の形態のカメラにおける撮影動作を示すフローチャートである。
【図３】図２に続く手順を示すフローチャートである。
【図４】補助光源１４の照射可能範囲Ａと閃光装置１２の照射可能範囲Ｂとを示す図であり、（ａ）は照射可能範囲Ａと照射可能範囲Ｂとが重複している場合を示し、（ｂ）は重複がない場合を示す。
【図５】閃光装置１２に用いられるコンデンサの充電電圧Ｖと充電時間ｔとの関係を示す図である。
【図６】第２の実施の形態の撮影装置における撮影動作を示すフローチャートである。
【図７】図６に続く手順を示すフローチャートである。
【図８】第３の実施の形態の撮影装置における撮影動作を示すフローチャートである。
【図９】図８に続く手順を示すフローチャートである。
【符号の説明】
１  撮影レンズ
３  絞り
４  測光センサ
７  測距装置
８  マイクロコンピュータ
９  シャッタ
１０  全押しスイッチ
１１  半押しスイッチ
１２  閃光装置
１３，１６，１７  発光制御回路
１４  赤目軽減ランプ
１５  ＡＦ補助ランプ
Ｆ  フィルム
【図１】
2004170490.tif 000003
【図２】
2004170490.tif 000004
【図３】
2004170490.tif 000005
【図４】
2004170490.tif 000006
【図５】
2004170490.tif 000007
【図６】
2004170490.tif 000008
【図７】
2004170490.tif 000009
【図８】
2004170490.tif 000010
【図９】
2004170490.tif 000011